(57)【要約】【課題】土台部から上方に延びる電線路に形成された充電部を覆うブッシングカバーであって、当該ブッシングカバー内に塩水が侵入し、土台部上に雪が積もっても、充電部から雪を介して土台部に漏電する地絡が発生する確率を低く抑えることができるブッシングカバーを提供する。【解決手段】ブッシングカバー１が備える水受部５１には、碍子１３０に下方から上方に向かって重力方向に平行な平行光線を当てて当該水受部５１に碍子１３０の影を投影した場合、碍子１３０の影の外側に、水を通すことができる孔部５４が形成されている。水受部５１より上方側の上方側空間８内に塩水が侵入しても、その塩水は、孔部５４から下方に落ち、しかも碍子１３０に当たることもない。したがって、ブッシングカバー１は、上方側空間８内に侵入した塩水が、充電部１４０から碍子１３０の外縁に至る塩水路を形成することを抑止できる。【選択図】  図５
2019122155.tif 000002
【特許請求の範囲】
【請求項１】
土台部から重力方向に沿って上方に延びる電線路であって、前記土台部上に設置された碍子部、前記碍子部上に形成された充電部、及び、前記充電部から上方に向かって延びる被覆電路部を有する前記電線路に取り付けられるブッシングカバーにおいて、
前記充電部の全部、及び、前記被覆電路部の下方側の一部を、重力方向に沿った軸周りに囲う囲繞部であって、少なくとも前記充電部については、前記充電部から離れた位置で囲う囲繞部と、
前記充電部の所定部位に嵌る嵌合開口を有する水受部であって、前記嵌合開口に前記充電部の前記所定部位が嵌まるように前記充電部に取り付けられると、当該水受部よりも上方側の前記囲繞空間を閉じるとともに、前記囲繞空間内を流れる水を受ける水受部と、
を備え、
前記囲繞部は、上方側の開口の内径が、前記被覆電路部の外径と略同じ大きさに形成され、
前記水受部には、前記嵌合開口に前記充電部の前記所定部位が嵌るように前記充電部に取り付けられているときに、前記碍子部に下方から上方に向かって重力方向に平行な平行光線を当てて当該水受部に前記碍子部の影を投影した場合、前記碍子部の影の外側に形成される孔部であって、水を通すことができる前記孔部が形成されているブッシングカバー。
【請求項２】
請求項１に記載のブッシングカバーにおいて、
前記囲繞部は、
前記碍子部の少なくとも上方側の一部をも囲い、前記碍子部についても、前記碍子部から離れた位置で囲うブッシングカバー。
【請求項３】
請求項２に記載のブッシングカバーにおいて、
前記囲繞部は、上下に別れており、
前記碍子部の少なくとも上方側の一部、及び、前記充電部の下方側の一部である下方部分を覆う下方覆部と、
前記下方覆部と組み合わせ可能な上方覆部であって、前記充電部の下方部分よりも上方側の上方部分、及び、前記被覆電路部の下方側の一部を覆う前記上方覆部と、
を備えるブッシングカバー。
【請求項４】
請求項３に記載のブッシングカバーにおいて、
前記下方覆部は、
前記水受部を備え、
前記上方覆部は、
当該上方覆部の内壁面上を伝う水を、前記水受部上に導く導水部を備えるブッシングカバー。
【請求項５】
請求項３又は請求項４に記載のブッシングカバーにおいて、
前記上方覆部には、
前記下方覆部に組み合わされたとき、前記下方覆部の上方側の一部を覆うスカート部が形成されているブッシングカバー。
【請求項６】
請求項１〜５のいずれか１項に記載のブッシングカバーにおいて、
前記水受部には、
前記嵌合開口に前記充電部の前記所定部位が嵌るように前記充電部に取り付けられているときに前記嵌合開口の側から前記孔部に向かって下る傾斜が形成されているブッシングカバー。
【請求項７】
請求項１〜６のいずれか１項に記載のブッシングカバーにおいて、
前記水受部は、
前記囲繞部が前記電線路から離れた位置で前記電線路を覆うため、前記碍子部及び前記充電部と前記囲繞部との間隔を保持するスペーサであるブッシングカバー。
【請求項８】
請求項１〜７のいずれか１項に記載のブッシングカバーにおいて、
前記水受部は、
当該水受部の下方側の面に形成された突出部であって、前記孔部より前記囲繞部側の前記孔部の近傍に設けられ、下方に向かって突出した前記突出部を備えるブッシングカバー。
【発明の詳細な説明】
【技術分野】
【０００１】
本発明は、ＳＶＲ等の配電用機器の筐体上面その他の土台部から上方に延びる電線路に形成された充電部を覆うブッシングカバーに関する。
【背景技術】
【０００２】
ＳＶＲ（自動電圧調整器：Ｓｔｅｐ  Ｖｏｌｔａｇｅ  Ｒｅｇｕｌａｔｏｒ）には、その筐体上面から重力方向に沿って上方に延びる電線路が形成される。図６に示すように、電線路１００は、ＳＶＲ４００の筐体の上面４０１上に設置される碍子部１１０、この碍子部１１０上に形成される充電部１４０、及び、充電部１４０から上方に向かって延びる被覆電路部１８０を有する。
【０００３】
ところで、ＳＶＲ４００の筐体の上面４０１から延びる電線路１００には、鳥獣害対策のため、充電部１４０を覆うブッシングカバー３００が取り付けられる。
【０００４】
ブッシングカバー３００としては、ゴムで構成された図６に示す例が知られている。この例のブッシングカバー３００は、ＳＶＲ４００の筐体の上面４０１から延びる電線路１００のうち、充電部１４０の全部、及び、充電部１４０から上方に向かって延線された被覆電路部１８０の下方側の一部、を覆うことができる。
【０００５】
このブッシングカバー３００の上方側の開口である上方開口３１０の内径は、被覆電路部１８０を構成する被覆された配電線２００の外径と略同じ大きさに形成されている。ブッシングカバー３００がＳＶＲ４００の筐体の上面４０１から延びる電線路１００に取り付けられるとき、この上方開口３１０には被覆された配電線２００が通される。そして、ブッシングカバー３００の上端が位置する部分で、被覆された配電線２００からブッシングカバー３００の上端部分にかけて絶縁テープを巻きつけて、ブッシングカバー３００の上方開口３１０から当該ブッシングカバー３００内に水が浸入しないようにするとともに、ブッシングカバー３００を被覆電線に固定する。
【発明の概要】
【発明が解決しようとする課題】
【０００６】
しかし、雪が多い海沿いの地域では、絶縁テープが劣化しやすく、劣化すると、ブッシングカバー３００の上方開口３１０から、ブッシングカバー３００の内部に塩を含んだ塩水が侵入することがある。
ブッシングカバー３００内に塩水が侵入すると、その塩水は、図６中に符号ＸやＹで示すように、ブッシングカバー３００の上方開口３１０から、ブッシングカバー３００の内壁面上や充電部１４０上を流れ、ブッシングカバー３００の下方側の開口から外部に出る。そして、ブッシングカバー３００の下方側の開口から外部に出た塩水は、碍子部１１０を構成する一番上の碍子１３０の傘部１３１上を流れる。
【０００７】
塩水が上記のようにブッシングカバー３００内を流れると、塩水のうち水分だけが飛び、塩水が通った道筋に沿って塩が残る場合がある。そして、その道筋に沿って、塩水が繰り返し流れると、ブッシングカバー３００内には、ブッシングカバー３００の上方開口３１０から下方側の開口に至る、塩で形成された路（塩水路）が形成されることがある。
この塩水路が形成されると、ブッシングカバー３００内を流れる塩水の多くは、この塩水路を伝って流れ、ブッシングカバー３００の下方側の開口のうち、塩水路の下端近傍の一定の場所から、外部に流れ出る。
【０００８】
すると、ブッシングカバー３００内から碍子１３０に流れ出た塩水は、ブッシングカバー３００内に形成された塩水路の下端近傍の一定の場所から流れ出るため、上述した３つの碍子１３０のうち一番上の碍子１３０にも、塩水路が形成されることがある。具体的には、図６中に符号Ｚで示したように、碍子１３０の突状部１３２の上端から碍子１３０の傘部１３１の外縁まで塩水が繰り返し流れて、結果的に塩水路が形成されることがある。
【０００９】
この碍子１３０の突状部１３２の上端部分は、充電部１４０に近接しているので、碍子１３０に形成された塩水路は、充電部１４０から、碍子１３０の外縁に至る電路となる。そのため、ＳＶＲ４００の筐体の上面４０１上に雪が積もり、その積もった雪がその碍子１３０近くに達すると、その雪も電路となり、充電部１４０からＳＶＲ４００の筐体の上面に至る電路が形成されて、充電部１４０からＳＶＲ４００の筐体の上面４０１に漏電する地絡が発生してしまうおそれがあった。
【００１０】
本発明は、土台部から上方に延びる電線路に形成された充電部を覆うブッシングカバーであって、当該ブッシングカバー内に塩水が侵入し、土台部上に雪が積もっても、充電部から雪を介して土台部に漏電する地絡が発生する確率を低く抑えることができるブッシングカバーを提供する。
【課題を解決するための手段】
【００１１】
（１）本発明のブッシングカバーは、土台部から重力方向に沿って上方に延びる電線路であって、土台部上に設置された碍子部、碍子部上に形成された充電部、及び、充電部から上方に向かって延びる被覆電路部を有する電線路に取り付けられるカバーである。
【００１２】
本発明のブッシングカバーは、充電部の全部、及び、被覆電路部の下方側の一部を、重力方向に沿った軸周りに囲う囲繞部であって、少なくとも充電部については、充電部から離れた位置で囲う囲繞部と、充電部の所定部位に嵌る嵌合開口を有する水受部であって、嵌合開口に充電部の所定部位が嵌まるように充電部に取り付けられると、当該水受部よりも上方側の囲繞空間を閉じるとともに、囲繞空間内を流れる水を受ける水受部と、を備えている。
【００１３】
そして、囲繞部は、上方側の開口の内径が、被覆電路部の外径と略同じ大きさに形成され、水受部には、嵌合開口に充電部の所定部位が嵌るように充電部に取り付けられているときに、碍子部に下方から上方に向かって重力方向に平行な平行光線を当てて当該水受部に碍子部の影を投影した場合、碍子部の影の外側に形成される孔部であって、水を通すことができる孔部が形成されている。
【００１４】
本発明のブッシングカバーは、囲繞空間を通る水を水受部が受ける。そして、その水受部に、水が通る孔部が設けられ、その孔部は、碍子部を水受部上に投影した影の外側に形成されている。そのため、囲繞空間内に塩水が侵入しても、その塩水は、水受部で受け止められた後、孔部から下方に落ち、しかも碍子部に当たることもない。したがって、本発明のブッシングカバーは、囲繞空間内に侵入した塩水が、充電部から碍子部の外縁に至る塩水路を形成することを抑止できる。
【００１５】
したがって、本発明のブッシングカバーを用いると、ブッシングカバー内に塩水が侵入しても、充電部から雪を介して土台部に漏電する地絡が発生する確率を低く抑えることができる。
（２）本発明のブッシングカバーを構成する囲繞部は、碍子部の少なくとも上方側の一部をも囲うものであってもよい。その場合、囲繞部は、碍子部について、碍子部から離れた位置で囲うようにしてもよい。
【００１６】
本発明のブッシングカバーは、土台部上に設置された碍子部の上方側の一部を囲繞部が覆っているので、土台部上に雪が積もっても、その雪が、碍子部のうち、塩水路が形成されやすい上方側の一部まで達する確率は低くなる。
したがって、本発明のブッシングカバーを用いると、ブッシングカバー内に塩水が侵入しても、充電部から雪を介して土台部に漏電する地絡が発生する確率を低く抑えることができる。
【００１７】
（３）本発明のブッシングカバーを構成する囲繞部は、碍子部の少なくとも上方側の一部、及び、充電部の下方側の一部である下方部分を覆う下方覆部と、下方覆部と組み合わせ可能な上方覆部であって、充電部の下方部分よりも上方側の上方部分、及び、被覆電路部の下方側の一部を覆う上方覆部とを備えていてもよい。
【００１８】
充電部は、碍子部側と、被覆電路部側とに分離可能に構成されていることが多い。この場合、本発明のように囲繞部を上下に別れるように形成すれば、碍子部側の充電部に下方覆部を被せ、被覆電路部側の充電部に上方覆部を被せ、分離された充電部をつないで、上方覆部と下方覆部とを組み合わせるだけの簡単な作業で、本発明のブッシングカバーを電線路に設置することができる。
【００１９】
（４）本発明のブッシングカバーは、下方覆部が、水受部を備え、上方覆部が、当該上方覆部の内壁面上を伝う水を、水受部上に導く導水部を備えるようにしてもよい。
このようにすると、当該上方覆部の内壁面上を伝う塩水は、導水部によって水受部に導かれるので、当該上方覆部の内壁面上を伝う塩水が、水受部に形成された孔部以外の場所から外部に漏れ出ることを抑止できる。
【００２０】
（５）本発明のブッシングカバーを構成する上方覆部には、下方覆部に組み合わされたとき、下方覆部の上方側の一部を覆うスカート部が形成されていてもよい。このようにすると、雪は、スカート部と下方覆部との間に入り込まなければ、囲繞部の外側から上方覆部と下方覆部との組み合わせ部分に近づけなくなる。そのため、塩を含む雪が溶けた塩水が、上方覆部と下方覆部との組み合わせ部分を介して囲繞部の外部空間から囲繞空間内に侵入しにくくなる。そのため、本発明のブッシングカバーを用いると、囲繞空間内に侵入する塩水が少なくなるので、塩水路が碍子部上に形成される確率を低く抑えることができる。
【００２１】
（６）本発明のブッシングカバーを構成する水受部には、嵌合開口に充電部の所定部位が嵌るように充電部に取り付けられているときに嵌合開口の側から孔部に向かって下る傾斜が形成されていてもよい。このようにすると、ブッシングカバー内に塩水が侵入した場合に、その塩水が孔部に集まりやすくなるため、孔部以外の場所、特に嵌合開口から塩水が外部に出て、その塩水が碍子部上で塩水路を形成することを抑制できる。
【００２２】
（７）本発明のブッシングカバーを構成する水受部は、囲繞部が電線路から離れた位置で電線路を覆うため、碍子部及び充電部と囲繞部との間隔を保持するスペーサであってもよい。このように、水受部がスペーサであれば、他にスペーサを備えなくてもよいので、ブッシングカバーの部品点数を少なくすることができる。
【００２３】
（８）本発明のブッシングカバーの構成する水受部は、当該水受部の下方側の面に形成された突出部であって、孔部より囲繞部側の孔部の近傍に設けられ、下方に向かって突出した突出部を備えるようにしてもよい。このようにすると、孔部から外部に出た水は、その表面張力によって突出部、すなわち、碍子部から離れる方向に導かれ、下方に落ちる。そのため、本発明のブッシングカバーを用いると、孔部から直接塩水が落ちる場合よりも、碍子部から離れた位置で塩水を落とすことができるので、塩水路が碍子部上に形成される確率を低く抑えることができる。
【図面の簡単な説明】
【００２４】
【図１】実施形態のブッシングカバーの説明図であり、（ａ）は、ブッシングカバーの斜視図、（ｂ）はブッシングカバーの正面図、（ｃ）は、ブッシングカバーの中心軸を通る断面で切断した断面図である。
【図２】実施形態のブッシングカバーを構成する上方覆部の説明図であり、（ａ）は、上方覆部の斜視図、（ｂ）は、上方覆部の中心軸を通る断面で切断した断面図である。
【図３】実施形態のブッシングカバーを構成する下方覆部の説明図であり、（ａ）は、下方覆部の斜視図、（ｂ）は、下方覆部の中心軸を通る断面で切断した断面図である。
【図４】図３（ｂ）の一部拡大図であり、図３（ｂ）中の符号αで示した部分の一部拡大図である。
【図５】実施形態のブッシングカバーを電線路に取り付けた様子を示す説明図であり、ブッシングカバーについては、ブッシングカバーの中心軸を通る断面で切断した断面図で示している説明図である。
【図６】従来のブッシングカバーの説明図であり、ブッシングカバーについては、ブッシングカバーの中心軸を通る断面で切断した断面図で示している説明図である。
【発明を実施するための形態】
【００２５】
以下に本発明の例示的な実施形態について図面を参照しながら説明する。
本実施形態のブッシングカバー１について、図１〜図５を用いて説明する。本実施形態のブッシングカバー１は、図５に示すように、ＳＶＲ（自動電圧調整器：Ｓｔｅｐ  Ｖｏｌｔａｇｅ  Ｒｅｇｕｌａｔｏｒ）４００の筐体の上面から重力方向に沿って上方に延びる電線路１００に取り付けられるものである。具体的には、ブッシングカバー１は、電線路１００のうち、ＳＶＲ４００の筐体の上面上に設置される碍子部１１０や、碍子部１１０上に形成される充電部１４０を覆うように電線路に取り付けられる。
【００２６】
以下ではまず、ブッシングカバー１が用いられる前提となる電線路１００について説明し、その後、ブッシングカバー１について説明する。なお、電線路１００について背景技術の欄で説明した構成については、同一符号を付けて説明する。  
碍子部１１０には、ベース具１２０、３つの碍子１３０が含まれる。
ベース具１２０は、円盤形状に形成された金属製のベース金具１２１と、ベース金具１２１よりも径が小さい円柱形状に形成された陶器製の柱状支持具１２２とを備えている。ベース金具１２１及び柱状支持具１２２は、中心軸が一致するように配置されるとともに、ベース金具１２１の中心軸に垂直な２つの盤面のうち、一方の盤面上から柱状支持具１２２が突出するように、接合されている。ベース具１２０は、柱状支持具１２２が設けられていない側の盤面が、ＳＶＲ４００の筐体の上面４０１に面接触するように設置される。このようにベース具１２０がＳＶＲ４００の筐体の上面４０１に設置されると、柱状支持具１２２は、ＳＶＲ４００の筐体の上面４０１に対して上方に向かって起立した状態となる。
【００２７】
３つの碍子１３０は、いずれも同一形状の碍子である。円盤形状に形成された傘部１３１と、傘部１３１よりも径が小さい円柱形状に形成された突状部１３２とを備えている。傘部１３１及び突状部１３２は、中心軸が一致するように配置されるとともに、傘部１３１の中心軸に垂直な２つの盤面のうち、一方の盤面上から突状部１３２が突出するように一体に形成されている。各碍子１３０は、傘部１３１が下方側、突状部１３２が上方側に位置し、ベース具１２０及び各碍子１３０の中心軸が一致するように、柱状支持具１２２上に積み重ねられる。
【００２８】
充電部１４０は、碍子側金具１５０、電線側接続用金具１７０が含まれる。碍子側金具１５０、電線側接続用金具１７０は、金属で構成されており、電路に電気がながれると、外気に対して絶縁されていない状態となるので、碍子側金具１５０、電線側接続用金具１７０が含まれる部分を「充電部」と呼んでいる。
【００２９】
碍子側金具１５０は、下部碍子側金具１５１、中間金具１６０、ブッシング金具１５２とを備えている。
下部碍子側金具１５１は、円盤形状に形成されている。下部碍子側金具１５１は、碍子１３０の傘部１３１よりも肉厚であるが、径が小さい円盤形状に形成されている。また、下部碍子側金具１５１は、その中心軸に垂直な２つの面のうち一方の面の縁部が削がれたような形状に形成されている。下部碍子側金具１５１は、縁部が削がれた側の面が下方を向くように、最も上方側に積まれた碍子１３０上に積み重ねられる。また、下部碍子側金具１５１は、その中心軸と、碍子部１１０の中心軸（ベース具１２０及び３つの碍子１３０の中心軸）とが一致するように、最も上方側に積まれた碍子１３０上に積み重ねられる。
【００３０】
中間金具１６０は、下部碍子側金具１５１と同一径の円盤形状に形成された下方側中間金具部１６１と、下方側中間金具部１６１よりも径が小さい円柱形状に形成された上方側中間金具部１６２とからなる。下方側中間金具部１６１及び上方側中間金具部１６２は、それぞれの中心軸が一致するように配置されるとともに、下方側中間金具部１６１の中心軸に垂直な２つの盤面のうち、一方の盤面上から上方側中間金具部１６２が突出するように、一体に形成されている。
【００３１】
中間金具１６０は、下方側中間金具部１６１のうち、上方側中間金具部１６２が設けられていない側の盤面が、下部碍子側金具１５１の上面に面接触し、中間金具１６０の中心軸と下部碍子側金具１５１の中心軸とが一致するように、下部碍子側金具１５１に重ねられる。そして、下方側中間金具部１６１と下部碍子側金具１５１とはボルトで固定される。このように中間金具１６０が下部碍子側金具１５１に固定されると、上方側中間金具部１６２が、上方に向かって突出した状態となる。
【００３２】
ブッシング金具１５２は、長方形状に形成された金具である。ブッシング金具１５２は、その長手方向が、上方側中間金具部１６２の中心軸に沿い、かつ、短手方向（幅方向）の中間位置が、上方側中間金具部１６２の中心軸上に位置するように、上方側中間金具部１６２から上方に向かって立設されている。ブッシング金具１５２は、上方側中間金具部１６２に固定されている。
【００３３】
電線側接続用金具１７０は、被覆された配電線２００の先端部分の被覆を剥いて裸電線にされた部分の先端に取り付けられる受け金具１７１と、裸電線に被せられたスリーブ１７２とを備えている。
受け金具１７１は、ブッシング金具１５２同様、長方形状に形成されている。受け金具１７１は、その幅方向の中心を通り、長手方向に沿った図示しない軸が、配電線２００の中心軸と一致するように、配電線２００の先端に取り付けられている。この受け金具１７１は、図示しないアンカー部が配電線２００の被覆を剥いた部分に埋設されている。
【００３４】
スリーブ１７２は、配電線２００の被覆を剥いた裸電線を挿入することができる円筒形状に形成された金具である。
配電線２００は、先端部分の被覆が剥かれた後、スリーブ１７２が裸電線部分に取り付けられ、受け金具１７１のアンカー部分が裸電線に挿入された後、スリーブ１７２がかしめられる。すると、受け金具１７１が配電線２００の先端に固定される。
【００３５】
最後に、被覆電路部１８０について簡単に説明する。
被覆電路部１８０は、配電線２００のうち、被覆が剥かれずに充電部１４０から上方に向かって延びている部分を指す。
次に、本実施形態のブッシングカバー１について説明する。
本実施形態のブッシングカバー１は、図１に示すように、円錐形状に形成され、尖頭部位９０が重力方向の上方を向き、底部部位９１が重力方向の下方を向き、中心軸７の軸方向が重力方向に沿うように、電線路１００（図５参照）に取り付けられる。以下では、本実施形態のブッシングカバー１の形状等を説明する場合、円錐形状の尖頭部位９０側を上方側、底部部位９１側を下方側と呼んで説明する。
【００３６】
本実施形態のブッシングカバー１は、重力方向に沿って上下に並んだ２つの覆部で構成されており、上方側の覆部を上方覆部３、下方側の覆部を下方覆部５と呼ぶ。
上方覆部３は、図２に示すように、全体に上方側から下方側に向かって拡径する円錐形状に形成された本体部３０を備える。ただし、上方覆部３の本体部３０は、拡径する割合（上方側の径に対して下方側の径が大きくなる割合、以下、拡径率という）が異なる４つの部分からなる。最も上方側の部分を第１部分３１、第１部分３１に連続する下方側の部分を第２部分３２、第２部分３２に連続する下方側の部分を第３部分３３、第３部分３３に連続する下方側の部分を第４部分３４とよぶ。
【００３７】
上方覆部３の拡径率は、第２部分３２が最も大きく、第４部分３４、第１部分３１、第３部分３３の順に小さく、また、中心軸７に沿った長さは、第３部分３３が最も長く、第４部分３４、第１部分３１、第２部分３２の順に短い。第３部分３３及び第４部分３４は、充電部１４０から所定距離離れた位置で、充電部１４０を覆う径で形成されている（図５参照）。
【００３８】
本体部３０の第４部分３４の内側には、中心軸７に沿った長手方向の中間位置よりやや下方位置から、中心軸７に沿って下方に向かって突出した突出部３５が形成されている（図２（ｂ））。この突出部３５は、中心軸７に平行に配置された棒を中心軸７周りに回した回転体のような形状に形成されており、上方覆部３が下方覆部５と組み合わされるとき、突出部３５の下方側の端部が、下方覆部５の上方側の開口を閉じる後述する水受部５１に接し、下方覆部５に形成された後述する突起部５５が、突出部３５と本体部３０の第４部分３４との間に形成される空間に入って組み合わされる（図１（ｃ）参照）。
【００３９】
また、第４部分３４の本体部３０は、中心軸７に沿った位置であって、突出部３５の下方側の先端の位置よりも下方側の部分が、下方覆部５の上方側の一部を覆う大きさに形成されている。本体部３０のうち、下方覆部５の上方側の一部を覆う部分を、スカート部３６と呼ぶ。
【００４０】
さらに、上方覆部３の本体部３０は、上端と下端が開口しているが、このうち、第１部分３１の上方側の開口３７は、配電線２００の被覆された部分の外径と略同じ大きさの内径の大きさの開口である（図５参照）。
下方覆部５は、図３に示すように、全体に上方側から下方側に向かってやや拡径した筒形形状に形成された本体部５０を備えている。下方覆部５は、下方側は開口しているが、上方側は水受部５１によって閉じられている。また、下方覆部５は、水受部５１の縁部から上方に向かって突出した突起部５５を備えている。
【００４１】
水受部５１は、円盤形状に形成され、下方覆部５の上方側の開口を閉じる。水受部５１の中央には、下方覆部５の中心軸７上に中心を有する円形状に形成された開口であって、上方側中間金具部１６２（図５参照）に嵌合可能な嵌合開口５２が形成されている。嵌合開口５２には、水受部５１の上面のうち、嵌合開口５２の縁部から上方に向かって突出するフランジ部５３が形成されている。フランジ部５３は、中心軸７に平行に配置された棒を中心軸７周りに回した回転体のような形状に形成されている。フランジ部５３は、嵌合開口５２に上方側中間金具部１６２が嵌合されるとき、中心軸７側の面が、上方側中間金具部１６２の側面（中心軸７に沿った面であって、中心軸７周りに形成されている面）に水密に接する。
【００４２】
また、水受部５１は、下方覆部５の中心軸７周りに等間隔に設けられた複数の孔部５４を備えている。これら孔部５４は、嵌合開口５２が上方側中間金具部１６２（図５参照）に嵌るように下方覆部５が充電部１４０に取り付けられたときに、碍子１３０（特に最も上方側に配置された碍子１３０）に下方から上方に向かって重力方向に平行な平行光線を当てて水受部５１に碍子１３０の影を投影した場合、碍子１３０の影の外側に形成される。これら孔部５４は、水を通すことができる大きさに形成されている。
【００４３】
また、水受部５１には、水受部５１の下方側の面に複数の突出部５６が形成されている。これら突出部５６は、各孔部５４より本体部５０側の孔部５４の近傍に設けられ、下方に向かって突出している。
水受部５１は、図４に示すように、嵌合開口５２に上方側中間金具部１６２が嵌められたときに嵌合開口５２側から各孔部５４側に向かって下る傾斜（傾斜角βで傾斜を示している）が形成されている。以下、この傾斜した部分を傾斜部５７と呼ぶ。
【００４４】
次に、上記のように構成されたブッシングカバー１を、電線路１００に取り付ける手順について、図５を用いて説明する。
１）最初に、下方覆部５を中間金具１６０に取り付ける。具体的には、嵌合開口５２に上方側中間金具部１６２を嵌め、水受部５１が、下方側中間金具部１６１上に乗るように下方覆部５を中間金具１６０に取り付ける。
【００４５】
２）次に、上方覆部３を配電線２００に取り付ける。具体的には、上方側の開口３７に、配電線２００のうち被覆がされた部分を通す。
３）配電線２００の先端の被覆を剥いた裸電線部分にスリーブ１７２を差し込み、受け金具１７１の図示しないアンカー部を裸電線部分に差し込み、スリーブ１７２をかしめる。
【００４６】
４）ブッシング金具１５２と受け金具１７１をネジ止めして、上方覆部３を下方覆部５に組み合わせる。
５）上方側の開口３７からブッシングカバー１内に水が浸入しないように、配電線２００のうち被覆された部分とブッシングカバー１とに絶縁テープを巻きつける。これによって上方覆部３は配電線２００に固定される。
【００４７】
以上説明したように構成されたブッシングカバー１を電線路１００に取り付けると、以下のような作用効果がある。
ブッシングカバー１は、組み立てられると、水受部５１が、上方覆部３の本体部３０及び下方覆部５の本体部５０からなる囲繞部が囲う囲繞空間を上下に分離する。この水受部５１は、分離された囲繞空間のうち、上方側の囲繞空間を通る水を受ける。そして、その水受部５１は、水が通る孔部５４が設けられ、その孔部５４は、碍子１３０を水受部５１上に投影した影の外側に形成されている。そのため、水受部５１によって上下に分離された囲繞空間のうち上方側の空間（以下「上方側空間８」という）内に塩水が侵入しても、その塩水は、水受部５１で受け止められた後、孔部５４から下方に落ち、しかも碍子１３０に当たることもない。したがって、本実施形態のブッシングカバー１は、上方側空間８内に侵入した塩水が、充電部１４０から碍子１３０の外縁に至る塩水路を形成することを抑止できる。
【００４８】
また、ブッシングカバー１は、ＳＶＲ４００の筐体の上面４０１上に設置された３つの碍子１３０のうち上方側の２つの碍子１３０を下方覆部５の本体部５０が覆っているので、ＳＶＲ４００の筐体の上面４０１上に雪が積もっても、その雪が、３つの碍子１３０のうち、塩水路が形成されやすい一番上の碍子１３０まで達する確率は低くなる。
【００４９】
したがって、ブッシングカバー１を用いると、ブッシングカバー１内に塩水が侵入しても、充電部１４０から雪を介してＳＶＲ４００の筐体に漏電する地絡が発生する確率を低く抑えることができる。
水受部５１には、嵌合開口５２の側から各孔部５４に向かって下る傾斜部５７が形成されている。そのため、ブッシングカバー１をブッシング部に取り付けると、上方側空間８内に塩水が侵入し、充電部１４０を伝う塩水があっても、その塩水が孔部５４に集まりやすくなるため、孔部５４以外の場所から塩水が外部に出て、その塩水が碍子１３０上で塩水路が形成されることを抑制できる。
【００５０】
水受部５１は、囲繞部（本体部３０及び本体部５０）が電線路から離れた位置で碍子１３０、充電部１４０を覆うため、碍子部１１０及び充電部１４０と囲繞部との間隔を保持するスペーサとしての機能も果たしている。このように、水受部５１がスペーサとしての機能もはたせば、他にスペーサを備えなくてもよいので、ブッシングカバー１の部品点数を少なくすることができる。
【００５１】
ブッシングカバー１は、下方側の充電部１４０（下部碍子側金具１５１、下方側中間金具部１６１）に下方覆部５を被せ、上方側の充電部１４０に上方覆部３を被せ、ブッシング金具１５２と受け金具１７１とをつなぎ、その後、上方覆部３と下方覆部５とを組み合わせるだけの簡単な作業で、ブッシングに設置することができる。
【００５２】
ブッシングカバー１は、水受部５１が、孔部５４の近傍に突出部５６を備えている。そのため、孔部５４から水受部５１の下面側に出た塩水は、その表面張力によって突出部５６、すなわち、碍子１３０から離れる方向に導かれ、下方に落ちる。そのため、このブッシングカバー１を用いると、孔部５４から直接塩水が落ちる場合よりも、碍子１３０から離れた位置で塩水を落とすことができるので、塩水路が碍子１３０上に形成される確率を低く抑えることができる。
【００５３】
ブッシングカバー１の上方覆部３には、下方覆部５に組み合わされたとき、下方覆部５の上方側の一部を覆うスカート部が形成されている。そのため、雪は、スカート部と下方覆部５の本体部５０との間に入り込まなければ、外側から上方覆部３の本体部３０と下方覆部５の本体部５０との組み合わせ部分に近づけなくなる。そのため、塩を含む雪が溶けた塩水が、上方覆部３の本体部３０と下方覆部５の本体部５０の組み合わせ部分を介して外部から上方側空間８内に侵入しにくくなる。そのため、ブッシングカバー１を用いると、上方側空間８内に侵入する塩水が少なくなるので、塩水路が碍子１３０上に形成される確率を低く抑えることができる。
【００５４】
下方覆部５が、水受部５１を備え、上方覆部３が、当該上方覆部３の内壁面上を伝う水を、孔部５４よりも下方覆部５の本体部５０側の水受部５１上に導く導水部となる突出部３５を備えている。そのため、上方覆部３の内壁面上を伝う塩水は、突出部３５によって水受部５１に導かれるので、上方覆部３の内壁面上を伝う塩水が、水受部５１に形成された孔部５４以外の場所から外部に漏れ出ることを抑止できる。
【００５５】
［他の実施形態］
以上、実施形態について説明したが、特許請求の範囲に記載された発明は、上記実施形態に限定されることなく、種々の形態を採り得る。
（１）上記実施形態のブッシングカバー１として、円錐形上に形成された例を示したが、円筒形状に形成されていればよく、必ずしも円錐形上に形成されていなくてもよい。
【００５６】
（２）上記実施形態では、ＳＶＲの筐体上面に碍子部１１０が取り付けられる例について説明したが、碍子部１１０が取り付けられる対象は、ＳＶＲ以外の配電機器でもよいことはもちろん、配電又は送電用設備でもよく、鉄骨等であってもよい。
【００５７】
（３）上記実施形態では、ブッシングカバー１が上方覆部３と下方覆部５とに分かれているが、上方覆部３と下方覆部５とは一体に形成されていてもよい。
（４）上記実施形態では、孔部５４が形成される位置を碍子１３０に塩水が当たらない位置としたが、碍子部１１０全体に塩水が当たらない位置としてもよい。
この場合、孔部５４は、嵌合開口５２が上方側中間金具部１６２（図５参照）に嵌るように下方覆部５が充電部１４０に取り付けられたときに、碍子１３０（特に最も上方側に配置された碍子１３０）だけでなく碍子部１１０全体に下方から上方に向かって重力方向に平行な平行光線を当てて水受部５１に碍子部１１０全体の影を投影した場合、碍子部１１０全体の影の外側に形成するとよい。
（５）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００５８】
１…ブッシングカバー  ３…上方覆部  ５…下方覆部  ７…中心軸
３０…本体部  ３１…第１部分  ３２…第２部分  ３３…第３部分
３４…第４部分  ３５…突出部  ３６…スカート部  ３７…上方側の開口
５０…本体部  ５１…水受部  ５２…嵌合開口  ５３…フランジ部
５４…孔部  ５５…突起部  ５６…突出部  ５７…傾斜部  ９０…尖頭部位
９１…底部部位  １００…電線路  １１０…碍子部  １３０…碍子
１４０…充電部  １５１…下部碍子側金具  １５２…ブッシング金具
１６０…中間金具  １６１…下方側中間金具部  １６２…上方側中間金具部
１７１…受け金具  １７２…スリーブ  ２００…配電線
【図１】
2019122155.tif 000003
【図２】
2019122155.tif 000004
【図３】
2019122155.tif 000005
【図４】
2019122155.tif 000006
【図５】
2019122155.tif 000007
【図６】
2019122155.tif 000008